(57)【特許請求の範囲】
【請求項１】
エラストマまたは合成材料で作られたプレートの形態を有する２つの連結要素を備えてコンベヤベルトを連結するための連結装置であって、
上記プレートは、補強材（７，７ａ，７ｂ，８，９）を有し、
上側プレート（２）としての一方の上記プレートは、使用中において、上記コンベヤベルトの端部（Ｅ，Ｅ）の外側面に対して配置され、
下側プレート（３）としての他方の上記プレートは、使用中において、上記コンベヤベルトの端部の内側面に対して配置され、
上記２つのプレート（２，３）は、上記連結装置の使用中において、公知の手段を用いて上記コンベヤベルトの端部に取り付けられ、
上記連結装置は、補強材（７，７ａ，７ｂ，８，９）であって、上記連結装置における該補強材の構成にしたがって水平方向における伸長可能特性および圧縮可能特性が大きく異なる補強材（７，７ａ，７ｂ，８，９）を備え、
引張力の作用下における大いに伸長可能な上記補強材（７，７ａ，７ｂ）の伸長可能限界は、同等の引張力の作用下における伸長不能またはほぼ伸長不能な上記補強材（８，９）の破裂が生じる前には到達されないように構成されている
ことを特徴とする連結装置。
【請求項２】
請求項１において、
上記伸長不能またはほぼ伸長不能な補強材（８，９）は、伸長不能もしくはほぼ伸長不能な金属ケーブル、伸長不能もしくはほぼ伸長不能なワイヤ、または伸長不能もしくはほぼ伸長不能な合成材料で作られたフィラメントのウィービングで構成されている
ことを特徴とする連結装置。
【請求項３】
請求項２において、
上記伸長不能またはほぼ伸長不能な補強材（８，９）を作るために用いられる繊維体の端部は、上記コンベヤベルトの移動方向に対して垂直に配置され、
上記連結装置は、上記コンベヤベルトに取り付けられる
ことを特徴とする連結装置。
【請求項４】
請求項１〜３のいずれか１項において、
上記大いに伸長可能な補強材（７，７ａ，７ｂ）の伸長可能性は、該補強材（７，７ａ，７ｂ）のアイドル状態における寸法の約２０％に及ぶ
ことを特徴とする連結装置。
【請求項５】
請求項１〜４のいずれか１項において、
上記上側プレート（２）の上記補強材（７）は、長手方向において大いに伸長可能かつ圧縮可能であり、
上記下側プレート（３）の上記補強材（８）は、長手方向において伸長不能またはほぼ伸長不能である
ことを特徴とする連結装置。
【請求項６】
請求項１〜４のいずれか１項において、
上記上側プレート（２）および上記下側プレート（３）の上記補強材（７ａ，７ｂ）は、大いに伸長可能であり、
第３の伸長不能またはほぼ伸長不能な補強材（９）が、一方では上記下側プレート（３）の左側（３’）の上側面または右側（３’’）の上側面に、他方では上記上側プレート（２）の右側（２’’）の下側面または左側（２’）の下側面に被覆される材料によって上記上側面および上記下側面と一体になっており、
上記第３の補強材（９）の接続のための傾斜中央部（９’’’）が、上記上側プレート（２）および上記下側プレート（３）の接続領域に２つの疑似ヒンジ（１０ａ，１０ｂ）を形成することによって、上記下側プレート（３）および上記上側プレート（２）とそれぞれ一体となっている上記第３の補強材（９）の２つの部分（９’，９’’）を接続している
ことを特徴とする連結装置。
【発明の詳細な説明】
【技術分野】
【０００１】
本発明は、コンベヤベルト連結装置に関する。
【背景技術】
【０００２】
コンベヤベルトは、石炭、鉱石、産業または農業生産物などの様々な物質または様々な製品を輸送するために使用されるものとして知られている。このようなコンベヤベルトは、適当な長さおよび幅を有する補強エラストマまたは補強合成材料で作られたベルトから構成されており、当該ベルトの端部は、偏向ローラおよびアイドラーローラを備えた支持駆動装置への取付け前または取付け後に、互いに接続される必要がある。往々にして、当該装置はまた、コンベヤベルトを張られた状態に保持するための張力調整部材を備えている。
【０００３】
これまで、コンベヤベルトの端部を接続するために様々な手段が用いられてきた。最初は、および今日に及ぶまで、ベルトが加硫され得る補強エラストマで構成されている場合には加硫が用いられる。それぞれが相補的であって上記端部が互いに近づけられたときに互いに適合する一種の範囲を各端部に作るよう意図された下準備の後、よく知られているように熱および圧力をかけることで加硫がなされる。加硫の代替例は冷間接着である。
【０００４】
他に知られている接続手段は、金属シートから切り出される概してＵ字状のステープルを用いるものである。当該ステープルは、稜によって接続された上側プレートおよび下側プレートを有していて、接続されるべきコンベヤベルトの端部の一方の各々にまたがって二列に固定される。このとき、稜は張り出し、一方の列の稜は他方の列の稜の間に入れ子にされる。また、接続関節ロッドが、入れ子にされた稜の内側に通され、一種のヒンジが形成されることによって２つの端部が接続される。コンベヤベルトの端部にステープルを固定するために用いられる公知の手段は、クランプ、リベットおよびネジなどのステムを有する固定手段で構成される。
【０００５】
より最近では、補強エラストマまたは補強合成材料で作られたフラット接続要素を使用した連結装置であって、コンベヤベルトの一方の端部および他方の端部にそれぞれ設けられて接続されるべき当該端部に固定される連結装置が提案されている。そのような連結装置の一例が特許文献１に開示されており、補強材が交差したケーブルで構成されている。これらの装置は、上側プレートと、下側プレートと、これら２つのプレートを接続する中央部とを備えている。しかしながら、第８欄の第１２〜１７行において、同特許文献は装置を２つのプレート、上側プレートおよび下側プレートに限定することを考慮している。
【０００６】
決まり事として、本明細書の全テキストにおいて、部品または部品の一部に適用される「上側」という語は、コンベヤベルトを支持および駆動するための装置のローラの反対側を意味する。部品または部品の一部に適用される「下側」という語は、コンベヤベルトのうち当該コンベヤベルトを支持および駆動するための装置のローラと接触する側を意味する。同様に、連結装置に適用されるものとして、「外側」はローラと反対側のスペースを意味し、「内側」はローラ側のスペースを意味する。これらの概念は、したがって、稼働中においてコンベヤベルトの上側流れを考慮するかコンベヤベルトの下側流れを考慮するかに関わらず、コンベヤベルトの視覚的位置から独立したものである。
【０００７】
また、決まり事として、「補強材」という語はフラット要素に適用されるものであり、往々にして連結装置の各プレートに固有のものであるが、複数のものが存在することも可能であり、大いに伸長可能という用語は補強材の各要素の伸長可能特性を特徴付け、伸長不能という用語は補強材の各要素の伸長不能特性を特徴付ける。この決まり事は、クレームおよび要約書の記載にも適用される。
【先行技術文献】
【特許文献】
【０００８】
【特許文献１】米国特許出願公開第５８３９５７１号明細書
【発明の概要】
【発明が解決しようとする課題】
【０００９】
補強材に関して、本発明の発明者は、ローラ、特に偏向ローラを通過する際にコンベヤベルトの上側面の長手方向における伸長およびコンベヤベルトの下側面の長手方向における圧縮が生じ、この伸長および圧縮が連結装置の上側プレートおよび連結装置の下側プレートにそれぞれ伝播することに気付いた。
【００１０】
これらの変形はリンクの使用期間にとって好ましくない。コンベヤベルトの故障は、修理代のみでなく、当該コンベヤベルトが一部をなす産業設備の対応する生産ロスをも発生させる。
【００１１】
そのため、先行特許文献、特に特許文献１で、この出願の発明者であるＪａｋｏｂは、上述したようなローラの通過中に生じる移動量の違いに起因する問題に対処するために、上側プレートおよび下側プレートの補強材に同じ伸長特性および同じ圧縮特性を与えることを提示している。
【００１２】
しかしながら、当該分野での経験から、本発明の発明者は、上側プレートおよび下側プレートの補強材について行われた測定の効果が最大限に使用されていなかったことに気付いた。確かに、下側プレートの補強材および上側プレートの補強材に同じ伸長特性が与えられているため、偏向ローラを通過する際に上側プレートの伸長と下側プレートの伸長との間に生じる伸長差異は、特に張力調整部材の存在下において不十分であり、そのことは力伝達にとって好ましくなく、また過度の伸長にさらされる上側プレートの補強材の劣化につながり得る。
【００１３】
本発明の目的は、連結装置の上側プレートの補強材および下側プレートの補強材の特に新しい構成および特に新しい特性に関する改良を、両プレートが中央部によって接続されているかどうかに関わらず提示することである。当該中央部が存在する場合、この中央部はプレートに一体形成されるかまたは別体形成される。当該改良は、特に煩雑な設置状況において稼働する連結装置の耐用年数を最適化するためのものである。
【００１４】
本発明の別の目的は、厚みの異なるコンベヤベルトに連結装置を取り付けることを可能とする補強材の構成を提示することである。
【課題を解決するための手段】
【００１５】
実用試験の実施後、本特許出願の発明者は、下側プレートの補強材の伸長可能特性および圧縮可能特性とは大きく異なる伸長可能特性および圧縮可能特性を有する補強材を上側プレートに設けることにより優れた結果を得た。換言すれば、本発明の主題に係るコンベヤベルト用の連結装置は、エラストマまたは合成材料で作られたプレートの形態を有する２つの連結要素を備えており、当該プレートは補強材を有し、上側プレートとしての一方のプレートは、使用中において、コンベヤベルトの端部の外側面に対して配置され、下側プレートとしての他方のプレートは、使用中において、コンベヤベルトの端部の内側面に対して配置され、２つのプレートは、連結装置の使用中において、公知の手段を用いてコンベヤベルトの端部に取り付けられ、連結装置は、補強材であって、連結装置における当該補強材の構成にしたがって水平方向における伸長可能特性および圧縮可能特性が大きく異なる補強材を備え、引張力の作用下における大いに伸長可能な補強材の伸長可能限界は、同等の引張力の作用下における伸長不能またはほぼ伸長不能な補強材の破裂が生じる前には到達されないように構成されている。
【００１６】
概して、および本発明の範囲内において、「大いに伸長可能」という用語は、補強材の伸長可能性が少なくとも約１５％、好ましくは約２０％よりも大きいことを意味する。同様に、「伸長不能またはほぼ伸長不能」という用語は、補強材の最大伸長可能性が約３％を超えないことを意味する。このように、補強材の伸長可能特性および圧縮可能特性は、特に大きく、異なることを理解されたい。
【００１７】
補強材の第１の組合せが、試されて優れた結果をもたらした。この組合せでは、上側プレートに大いに伸長可能な補強材を設けた。この補強材の伸長可能性は、一般に、長手方向、すなわち連結装置が取り付けられた後のコンベヤベルトの移動方向において力が作用する前の初期長さの２０％程度であってもよい。伸長可能性は、また必要に応じて、より大きくてもよく、例えば６０％程度であってもよい。好ましくは、大いに伸長可能な補強材の伸長可能性は１５〜６０％であって、より好ましくは２０〜６０％である。下側プレートには、最大伸長可能性が約３％を超えない伸長不能またはほぼ伸長不能な補強材が設けられる。
【００１８】
大きな差異のために、ローラ通過時に伸長度の違いは最大になるが、上側プレートの伸長可能な補強材の伸長度は、下側プレートの伸長不能またはほぼ伸長不能な補強材の破裂の前には、可能な最大値には達しない。引張力の伝達は下側プレートの補強材によってなされるので、当該補強材の耐破裂性はコンベヤベルトの用途にしたがって安全係数を伴って選択される。これにより、連結装置の疲労または劣化が生じる可能性が大幅に低減されることを理解されたい。本発明のこのタイプは、上側プレートおよび下側プレートを備えた様々な連結装置に適用可能であり、このことは２つのプレートを接続する中央部が存在するかどうかに関係ない。また、中央部が存在する場合、それは２つのプレートの一体形成されるかまたは別体形成される。
【００１９】
本発明は、さらに、厚みの異なるコンベヤベルトに対する連結装置の適合性に関する決定的な解決策を提示する。この解決策では、上側プレートと下側プレートとは、斜めに設けられた中央接続部によって１つの部品を形成するように接続されている。この構成は、厚みの異なるコンベヤベルトへの取付けに関する連結装置の適合性と、コンベヤベルトの長手方向における補強材の伸長可能性および圧縮可能性に関する補強材の特性とを両立させる。
【００２０】
上記中央接続部は、エラストマで被覆された伸長不能またはほぼ伸長不能なキャンバス（canvas）で構成されている。この接続部は、上側プレートと下側プレートとの間に角度をなして設けられていて、一方では下側プレートの一方側の上側面と、他方では上側プレートの他方側の下側面と一体になっている。中央接続部のエラストマで被覆された伸長不能またはほぼ伸長不能なキャンバスは、当該キャンバスが一体となっている上側プレートの下側面の一方側および当該キャンバスが一体となっている下側プレートの上側面の他方側において広げられる。
【００２１】
この構成では、２つのプレートに共有されるこの第３の補強材の伸長不能なまたはほぼ伸長不能な特性を利用することが可能であり、また一方では下側プレートの上側面と中央接続部との間、他方では上側プレートの下側面と中央接続部との間の接続領域が疑似ヒンジを構成し、そのことが上側プレートと下側プレートとが互いに離間または接近するのを可能とするクリアランスを許容し、それによりこのタイプの連結装置を厚みの異なるコンベヤベルトに取り付けることが可能となる。
【００２２】
また、このタイプの連結装置は反転されてもよい。すなわち、当該連結装置は上側プレートと下側プレートとを反対にして取り付けられてもよく、したがって誤った取付けの可能性が排除され、実質的な伸長可能性の特性およびゼロまたはほぼゼロの伸長可能性の特性は保たれる。
【００２３】
発明者は、また、様々な実施形態において使用される伸長不能またはほぼ伸長不能な補強材が、スクリーンとして使用される紙を製造するための機械において使用されるタイプのキャンバスであって、伸長不能もしくはほぼ伸長不能な金属ケーブル、伸長不能もしくはほぼ伸長不能な金属ワイヤ、または合成材料で作られた伸長不能もしくはほぼ伸長不能なフィラメントのウィービング（weaving）で形成されてなる、当該紙の輸送をサポートするキャンバスで構成されていてもよいことを提示する。本発明に係る連結装置のプレートの補強材として設けられる当該キャンバスはおそらくコーミング効果を受けるので、発明者は、クランプ、リベットまたはネジなどのステムを有する固定手段が存在する場合に、これらの構造体の端部、すなわち伸長不能またはほぼ伸長不能な補強材を作るために用いられる繊維体の端部を、本発明に係る連結装置において、当該連結装置がコンベヤベルトに取り付けられる方向であるコンベヤベルトの移動方向に対して垂直に配置することを提示する。
【図面の簡単な説明】
【００２４】
【図１】図１は、従来技術に係る連結装置の断面斜視図である。
【図２】図２は、コンベヤベルトの端部に取り付けられた従来技術に係る連結装置を示す図であって、偏向ローラを通過する状態を示している。
【図３】図３は、本発明に係る第１の連結装置の斜視図である。
【図４】図４は、コンベヤベルトの端部に取り付けられた図３の連結装置の縦断面図である。
【図５】図５は、コンベヤベルトの端部に取り付けられた図３の連結装置の縦断面図であって、偏向ローラを通過する状態を示している。
【図６】図６は、本発明に係る第２の連結装置の縦断面図である。
【図７ａ】図７ａは、薄いコンベヤベルトの端部に取り付けられた図６の連結装置を示す図である。
【図７ｂ】図７ｂは、分厚いコンベヤベルトの端部に取り付けられた図６の連結装置を示す図である。
【図８】図８は、コンベヤベルトの端部に取り付けられた図６の連結装置を示す図であって、偏向ローラを通過する状態を示している。
【発明を実施するための形態】
【００２５】
以下、本発明の制限的ではない好ましい実施形態について、図面を参照して詳細に説明する。同じ参照符号は、全ての図面において同じ部品または部分に関して使用される。
【００２６】
図１は、従来技術に係る連結装置を示している。この例では、上側プレート２は平行に重ねられたケーブルのセット４によって補強され、下側プレート３はセット４’によって上側プレートと同様に補強されている。また、上述したように、中央部５が下側プレートと上側プレートとを接続している。
【００２７】
図２は、コンベヤベルトに取り付けられた図１の連結装置を示す図であって、偏向ローラを通過する状態を示している。半径Ｒのローラ、コンベヤベルトの端部Ｅ、下側プレートおよび上側プレートには補強材が設けられている。上側プレートの上側面と下側プレートの下側面との間の距離はｅで表されている。移動距離の違いは次式にしたがって大まかに算出されることを理解されたい。
【００２８】
【数１】
0006670301.tif 000002
ここで、移動は３６０°ではなく約１８０°にわたってなされる。
【００２９】
図３は、本発明に係る第１の連結装置の縦断面図である。種々の要素は次のように示されている。すなわち、（２）上側プレート、（３）下側プレート、（５）中央部（この中央部は存在しないか、またはプレートと一体形成されているか、もしくは別体形成されていることを思い出してほしい）、（７）長手方向において伸長可能かつ圧縮可能な補強材、（８）伸長不能またはほぼ伸長不能な補強材、である。
【００３０】
下側プレート３の補強材８は伸長不能であって、移動量の違いはもっぱら上側プレート２の大いに伸長可能な補強材７に影響することを理解されたい。伸長不能な補強材がその破裂限界に達する前には伸長可能な補強材の最大伸長に達しないので、大いに伸長可能な補強材がこれを劣化させるような引張力にさらされることはないだろう。伸長不能な補強材には、もちろん安全係数を伴って、コンベヤベルトの作動中に生じる引張力に適合する耐破裂性が与えられているので、この力伝達のための伸長不能な補強材はヒューズ（fuse）として機能する。このように、２種類の補強材は劣化から保護されており、連結装置の耐用年数は最大限となる。
【００３１】
コンベヤベルトの作動中に生じる引張力に適合する伸長不能な補強材の耐破裂性に対して、コンベヤベルトは所望のアプリケーションにしたがって当業者によって自由に選択されることを理解されたい。比較的低い耐性を有する伸長不能な補強材は、例えば食料品を輸送するよう意図された軽くて薄いコンベヤベルト用の連結装置において使用され、比較的高い耐性を有する伸長不能な補強材は、例えば鉱石を輸送するよう意図された重たいコンベヤベルト用の連結装置において使用される。
【００３２】
図４は、コンベヤベルトの端部に取り付けられた図３の連結装置の縦断面図である。上側プレート７の伸長可能な補強材７と、下側プレートの伸長不能またはほぼ伸長不能な補強材８とが確認される。この例では、クランプＣによって固定がなされている。
【００３３】
図５は、図３の連結装置が偏向ローラを通過する状態を示している。大いに伸長可能な補強材７が、下側プレートの移動量と上側プレートの移動量との違いのために伸ばされることによって曲がっていること、および伸長不能な補強材８が伸ばされていないか実質的に伸ばされていないことが見て取れる。符号Ｒはローラの半径を示し、符号ｅは連結装置の厚みを示し、符号Ｅは連結装置が取り付けられるコンベヤベルトの端部を示している。
【００３４】
図６は、本発明に係る第２の連結装置を示す図であって、連結装置がコンベヤベルトに取り付けられて偏向ローラを通過する状態の断面図を見ることを可能とする。大いに伸長可能な補強材７ａが上側プレート２に設けられ、大いに伸長可能な別の補強材７ｂが下側プレート３に設けられている。第３のフレキシブルで伸長不能な補強材９は、上側プレート２および下側プレート３に被覆される材料によって当該プレート２，３と一体になっており、この補強材９の部分９’は下側プレートの上側面の一方側、すなわち左側３’と一体になり、この補強材９の別の部分９’’は上側プレート２の下側面の他方側、すなわち右側２’と一体になり、当該第３補強材９の接続のための傾斜中央部９’’’は上側プレート２および下側プレート３とのそれぞれの接続領域において２つの疑似ヒンジ１０ａ，１０ｂを形成することによって２つの部分９’，９’’を接続している。
【００３５】
図７ａは、第１厚みＥＰのコンベヤベルトに取り付けられた図６の連結装置を示し、図７ｂは、より分厚い第２厚みＥＰ’のコンベヤベルトに取り付けられた図５の同装置を示している。この適合性は、プレート２，３の接近または離間を実現する疑似ヒンジ１０ａ，１０ｂによるものであってもよい。この連結装置は反転させられてもよく、上側プレートおよび下側プレートの概念はただ説明のために用いられる。
【００３６】
図８は、コンベヤベルトに取り付けられた図６の連結装置を示す図であって、偏向ローラを通過する状態を示している。図６における全ての要素、すなわちプレート２，３、伸長可能な補強材７ａ，７ｂ、伸長不能な補強材９および当該補強材９の各部分９’，９’’，９’’’が認められる。
【００３７】
移動量の違いは伸長可能な補強材７ａ，７ｂによって吸収される。力の伝達は伸長不能な補強材９によってなされる。
【００３８】
本発明によって達成しようとする全ての目的、すなわち本発明に係る連結装置の耐用年数の一定の増大および厚みの異なるコンベヤベルトに対する連結装置の取付け適合性が達成され、さらには連結装置が反転使用可能、すなわちプレートの配置ミスのリスクなくして取付け可能であるという利点もある。
【図１】
0006670301.tif 000003
【図２】
0006670301.tif 000004
【図３】
0006670301.tif 000005
【図４】
0006670301.tif 000006
【図５】
0006670301.tif 000007
【図６】
0006670301.tif 000008
【図７ａ】
0006670301.tif 000009
【図７ｂ】
0006670301.tif 000010
【図８】
0006670301.tif 000011